(57)【特許請求の範囲】
【請求項１】
複数の振動素子から出力された複数の受信信号を入力して処理し、これにより超音波画像を形成する超音波診断装置において、
前記各振動素子ごとに個別的に設けられた複数のバンドパスフィルタと、
前記複数のバンドパスフィルタの後段に設けられ、前記複数のバンドパスフィルタを通過した受信信号に対して整相加算を実行する整相加算回路と、
前記複数のバンドパスフィルタに対して設定された複数のバンドパスフィルタグループに対応して設けられ、各バンドパスフィルタグループに供給するグループ別のバイアス信号を発生する複数のバイアス発生回路を備え、前記複数のバンドパスフィルタの通過帯域特性をグループごとに調整する制御部と、
を含むことを特徴とする超音波診断装置。
【請求項２】
請求項１記載の装置において、
前記制御部は、バンドパスフィルタグループ間において、通過帯域特性を揃える制御を行うことを特徴とする超音波診断装置。
【請求項３】
請求項１記載の装置において、
前記各バンドパスフィルタは、ハーモニックイメージングモードで受信信号からハーモニック成分を抽出することを特徴とする超音波診断装置。
【請求項４】
請求項１記載の装置において、
前記各バンドパスフィルタはＡ／Ｄ変換器の前段に設けられたことを特徴とする超音波診断装置。
【請求項５】
請求項１記載の装置において、
前記各受信信号を前記各バンドパスフィルタに通過させるかそれを迂回させるかを切り換える切換手段を含むことを特徴とする超音波診断装置。
【請求項６】
請求項１記載の装置において、
前記各バンドパスフィルタはインダクタ素子とキャパシタ素子とからなる共振回路を有し、
前記キャパシタ素子は逆バイアス電圧が印加される少なくとも１つのダイオードを含み、
前記制御部は前記逆バイアス電圧を可変することによって前記各バンドパスフィルタの通過帯域特性を調整することを特徴とする超音波診断装置。
【請求項７】
複数の振動素子から出力された複数の受信信号を入力して処理し、これにより超音波画像を形成する超音波診断装置において、
前記各振動素子ごとに個別的に設けられた複数のバンドパスフィルタと、
前記複数のバンドパスフィルタの後段に設けられ、前記複数のバンドパスフィルタを通過した受信信号に対して整相加算を実行する整相加算回路と、
前記各バンドパスフィルタの通過帯域特性を調整する制御部と、
を含み、
前記各バンドパスフィルタはインダクタ素子とキャパシタ素子とからなる共振回路を有し、
前記キャパシタ素子はそれぞれ逆バイアス電圧が印加される互いに逆向きに接続された一対のダイオードによって構成され、
前記制御部は前記一対のダイオードのそれぞれについて逆バイアス電圧を可変することを特徴とする超音波診断装置。
【請求項８】
複数の振動素子から出力された複数の受信信号を入力して処理し、これにより超音波画像を形成する超音波診断装置において、
前記各振動素子ごとに設けられ、インダクタ素子とそれぞれ逆バイアス電圧が印加される互いに逆向きに接続された一対のバリキャップダイオードからなるバリキャップダイオード回路とを含んで構成される共振回路を有する複数のバンドパスフィルタと、
前記複数のバンドパスフィルタの後段に設けられ、それらを通過した受信信号に対して整相加算を実行する整相加算回路と、
前記複数のバンドパスフィルタに対して設定された複数のバンドパスフィルタグループごとに設けられ、各バリキャップダイオード回路に印加するグループ別の逆バイアス電圧を発生する複数のバイアス発生回路と、
を含み、
前記各バイアス発生回路が発生するグループ別の逆バイアス電圧を調整し得ることを特徴とする超音波診断装置。
【請求項９】
超音波を送信し、反射波を受波することによって、受信信号を出力する、複数の振動素子で構成される超音波振動子と、
前記複数の振動素子から出力された受信信号に対して前置増幅を行う複数のプリアンプと、
ハーモニック成分を抽出する複数のフィルタであって、前記複数のプリアンプから出力された受信信号が入力される複数のフィルタ回路と、
前記複数のフィルタ回路から出力された受信信号を増幅する複数の可変ゲインアンプと、
前記複数の可変ゲインアンプから出力された受信信号をデジタル信号に変換する複数のＡ／Ｄ変換器と、
前記複数のＡ／Ｄ変換器によってデジタル信号に変換された受信信号に基づいてハーモニックイメージング画像を形成する画像形成回路と、
前記ハーモニックイメージング画像を表示する表示器と、
を含み、
前記各フィルタ回路はインダクタ素子とキャパシタ素子とからなる共振回路を有し、
前記キャパシタ素子はそれぞれ逆バイアス電圧が印加される互いに逆向きに接続された一対のダイオードによって構成され、
前記制御部は前記一対のダイオードのそれぞれについて逆バイアス電圧を可変することを特徴とする超音波診断装置。
【発明の詳細な説明】
【０００１】
【発明の属する技術分野】
本発明は超音波診断装置に関し、特に複数の受信信号を処理する受信回路に関する。
【０００２】
【従来の技術及びその課題】
超音波診断装置において、複数の振動素子から出力される複数の受信信号は受信回路に入力される。受信回路は、各チャンネルごとに設けられたプリアンプ、ゲイン可変アンプ、Ａ／Ｄ変換器などを含み、更に複数の受信信号の位相を調整して加算する整相加算回路などを含む。整相加算後の受信信号は、例えば、バンドパスフィルタなどの回路を経て、画像形成回路へ入力される。
【０００３】
ところで、ハーモニックイメージング（高調波の画像化）を行う場合などにおいては、受信信号の内で所望の帯域成分を抽出する必要がある。そのため、従来においては、受信回路の後段つまり整相加算後にバンドパスフィルタが設けられ、その中心周波数などが可変されていた。
【０００４】
しかしながら、受信回路がデジタルビームフォーマーとして構成される場合、すなわち各チャンネルの受信信号をその整相加算前にデジタル変換する場合、そのＡ／Ｄ変換器の入力ダイナミックレンジを考慮して受信信号のゲインを調整する必要がある。この場合、最終的に必要となる目的周波数成分のレンジに拘わらず、受信信号全体のレンジをＡ／Ｄ変換器の入力ダイナミックレンジに合わせることになるので、目的周波数成分についてみると、Ｓ／Ｎ比を向上できないという問題がある。
【０００５】
特に、近年ハーモニックイメージングが実用化される中で、高調波成分をより有効に抽出することが望まれるが、基本波に比べて高調波はかなり微弱な信号成分であり、基本波のレベルをＡ／Ｄ変換器の入力ダイナミックレンジに合わせると、高調波について十分なダイナミックレンジを確保できない。
【０００６】
本発明は、上記従来の課題に鑑みなされたものであり、その目的は、各チャンネルごとにＡ／Ｄ変換に先立って目的成分の抽出を行ってダイナミックレンジを調整できるようにすることにある。
【０００７】
本発明の他の目的は、各チャンネル間におけるバンドパスフィルタの通過帯域特性を簡易に揃えられるようにすることにある。
【０００８】
本発明の他の目的は、超音波画像（特にハーモニックイメージング画像）の画質を高めることにある。
【０００９】
【課題を解決するための手段】
（１）上記目的を達成するために、本発明は、複数の振動素子から出力された複数の受信信号を入力して処理し、これにより超音波画像を形成する超音波診断装置において、前記各振動素子ごとに個別的に設けられた複数のバンドパスフィルタと、前記複数のバンドパスフィルタの後段に設けられ、前記複数のバンドパスフィルタを通過した受信信号に対して整相加算を実行する整相加算回路と、前記複数のバンドパスフィルタに対して設定された複数のバンドパスフィルタグループに対応して設けられ、各バンドパスフィルタグループに供給するグループ別のバイアス信号を発生する複数のバイアス発生回路を備え、前記複数のバンドパスフィルタの通過帯域特性をグループごとに調整する制御部と、を含むことを特徴とする。
【００１０】
上記構成によれば、受信信号はバンドパスフィルタを介して整相加算回路に入力される。各バンドパスフィルタの通過帯域特性は超音波画像の形成で必要な成分を抽出するように設定される。実際には、各バンドパスフィルタ間においてそれを構成する素子などの動作特性のバラツキ（あるいは、その他の要因）に起因し、各バンドパスフィルタの通過帯域特性（特に共振点）に違いが生じる場合があり得る。上記構成によれば、そのようなバラツキに対処してグループごとに通過帯域特性を調整できるので（例えば均一化できるので）、超音波画像の画質を高められる。なお、上記調整に当たっては、通過帯域特性の微調整の他に、通過帯域特性の切り換え（例えば、基本波抽出と高調波抽出の切り換え）を行ってもよい。調整は、装置の出荷時、メンテナンス時の他、必要に応じてマニュアルであるいは自動的に行うことができる。
【００１１】
望ましくは、前記制御部は、バンドパスフィルタグループ間において、通過帯域特性を揃える制御を行う。各バンドパスフィルタごとに調整を行えばより理想的な調整を行うことができ、各バンドパスグループ間において調整を行えば、一定の調整効果を得つつも、調整のための回路構成を簡略化できる。
【００１２】
ちなみに、製造段階において隣接して製造された素子（特に可変容量ダイオード）は同じような動作特性を有しているので、それを考慮して、チャンネル番号順で、素子の製造順を考慮して、回路構成上使用する素子を選択するのが望ましい。そのような配設を前提として、バンドパスグループごとに調整を行うのが望ましい。
【００１３】
望ましくは、前記各バンドパスフィルタは、ハーモニックイメージングモードで受信信号からハーモニック成分を抽出する。この構成によれば、受信信号から高調波成分を抽出し、その高調波成分を用いてＢモード画像などを作成できる。
【００１４】
望ましくは、前記各バンドパスフィルタはＡ／Ｄ変換器の前段に設けられる。この構成によれば、バンドパスフィルタがＡ／Ｄ変換器の前段に設けられているので、Ａ／Ｄ変換器の入力ダイナミックレンジを高調波成分のために有効活用でき、超音波画像の画質を高められる。
【００１５】
望ましくは、前記各受信信号を前記各バンドパスフィルタに通過させるかそれを迂回させるかを切り換える切換手段を含む。この構成によれば、例えば基本波によって超音波画像を形成する場合に（ファンダメンタルモード）、バンドパスフィルタがされ、一方、ハーモニックイメージングモードでは、受信信号がバンドパスフィルタに入力される。
【００１６】
望ましくは、前記各バンドパスフィルタはインダクタ素子とキャパシタ素子とからなる共振回路を有し、前記キャパシタ素子は逆バイアス電圧が印加される少なくとも１つのダイオードを含み、前記制御部は前記逆バイアス電圧を可変することによって前記各バンドパスフィルタの通過帯域特性を調整する。この構成によれば、ダイオードの逆バイアス電圧の可変によって容量可変を行い、電圧可変という簡易な手法で通過帯域特性の調整を行える。
【００１７】
また、本発明は、複数の振動素子から出力された複数の受信信号を入力して処理し、これにより超音波画像を形成する超音波診断装置において、前記各振動素子ごとに個別的に設けられた複数のバンドパスフィルタと、前記複数のバンドパスフィルタの後段に設けられ、前記複数のバンドパスフィルタを通過した受信信号に対して整相加算を実行する整相加算回路と、前記各バンドパスフィルタの通過帯域特性を調整する制御部と、を含み、前記各バンドパスフィルタはインダクタ素子とキャパシタ素子とからなる共振回路を有し、前記キャパシタ素子はそれぞれ逆バイアス電圧が印加される互いに逆向きに接続された一対のダイオードによって構成され、前記制御部は前記一対のダイオードのそれぞれについて逆バイアス電圧を可変する。この構成によれば、一対のダイオードが逆向きに接続されているために特性変動を相補的に補償しつつ十分な容量を形成できる。
【００１８】
（２）また、上記目的を達成するために、本発明は、複数の振動素子から出力された複数の受信信号を入力して処理し、これにより超音波画像を形成する超音波診断装置において、前記各振動素子ごとに設けられ、インダクタ素子とそれぞれ逆バイアス電圧が印加される互いに逆向きに接続された一対のバリキャップダイオードからなるバリキャップダイオード回路とを含んで構成される共振回路を有する複数のバンドパスフィルタと、前記複数のバンドパスフィルタの後段に設けられ、それらを通過した受信信号に対して整相加算を実行する整相加算回路と、前記複数のバンドパスフィルタに対して設定された複数のバンドパスフィルタグループごとに設けられ、各バリキャップダイオード回路に印加するグループ別の逆バイアス電圧を発生する複数のバイアス発生回路と、を含み、前記各バイアス発生回路が発生するグループ別の逆バイアス電圧を調整し得ることを特徴とする。
【００１９】
上記構成によれば、グループ単位で調整を行えるので、全チャンネルについてグループ単位での調整を行えるとともに、回路構成を簡略化して製造コストを低減できる。
【００２０】
（３）また、上記目的を達成するために、本発明は、超音波を送信し、反射波を受波することによって、受信信号を出力する、複数の振動素子で構成される超音波振動子と、前記複数の振動素子から出力された受信信号に対して前置増幅を行う複数のプリアンプと、ハーモニック成分を抽出する複数のフィルタであって、前記複数のプリアンプから出力された受信信号が入力される複数のフィルタ回路と、前記複数のフィルタ回路から出力された受信信号を増幅する複数の可変ゲインアンプと、前記複数の可変ゲインアンプから出力された受信信号をデジタル信号に変換する複数のＡ／Ｄ変換器と、前記複数のＡ／Ｄ変換器によってデジタル信号に変換された受信信号に基づいてハーモニックイメージング画像を形成する画像形成回路と、前記ハーモニックイメージング画像を表示する表示器と、を含み、前記各フィルタ回路はインダクタ素子とキャパシタ素子とからなる共振回路を有し、前記キャパシタ素子はそれぞれ逆バイアス電圧が印加される互いに逆向きに接続された一対のダイオードによって構成され、前記制御部は前記一対のダイオードのそれぞれについて逆バイアス電圧を可変することを特徴とする。
【００２１】
上記構成によれば、受信信号からハーモニック成分を抽出した後にその受信信号に対するゲイン調整を行った上で、その受信信号をＡ／Ｄ変換器に入力させることができる。よって、ハーモニックイメージングモードでは、ハーモニック成分のレベルを引き上げて（基本波イメージングの場合よりゲインを上げて）、Ａ／Ｄ変換器の入力ダイナミックレンジを有効活用することができる。その結果、従来構成では、除外されていたようなレベルの信号成分まで検出することが可能である。つまり、信号検出限界を引き下げることができる。
【００２２】
【発明の実施の形態】
以下、本発明の好適な実施形態について図面を用いて説明する。
【００２３】
図１には、本発明に係る超音波診断装置の好適な実施形態が示されており、図１はその全体構成を示すブロック図である。
【００２４】
プローブ１０は超音波を送受波する超音波探触子である。このプローブ１０は、生体表面上に当接して用いられあるいは体腔内に挿入して用いられるものである。プローブ１０内には後に図２を用いて説明するアレイ振動子が含まれており、そのアレイ振動子は複数の振動素子からなる。そのアレイ振動子によって超音波ビームが形成され、その超音波ビームが電子走査される。その電子走査方式としては電子リニア走査や電子セクタ走査などをあげることができる。
【００２５】
送信部１２は、送信ビームフォーマーとして機能し、送信部１２から、アレイ振動子を構成する各振動素子に対して送信信号が供給される。
【００２６】
受信部１４は、受信ビームフォーマーとして機能し、複数の振動素子から出力される複数の受信信号に対して整相加算処理などを行う回路である。その具体的な回路構成については後に図２を用いて説明するが、本実施形態においては各チャンネルごとにバンドパスフィルタ（ＢＰＦ）が設けられ、その各ＢＰＦの通過帯域特性を可変あるいは調整することができる。
【００２７】
コントローラ１６は本装置内の各構成の動作制御を行っており、そのコントローラ１６には操作パネルなどによって構成される入力部１８が接続されている。
【００２８】
信号処理部２０は、断層画像形成のための信号処理やドプラ画像形成のための信号処理などを行う回路である。この信号処理によって超音波画像が形成され、その画像情報は表示処理部２２を介して表示部２４へ出力される。表示部２４には超音波画像としてＢモードやカラーフローマッピング画像などの各種の画像が表示される。
【００２９】
本実施形態の超音波診断装置は、通常の基本波を利用した画像形成機能の他、いわゆるハーモニックイメージングモードを有している。このハーモニックイメージングモードにおいては、受信信号中に含まれる高調波成分が抽出され、その高調波成分を利用して超音波画像が形成される。その場合において、その高調波の抽出は図１に示す受信部１４にて行われる。
【００３０】
図２には、図１に示した受信部１４の具体的な構成例が示されている。
【００３１】
アレイ振動子３０は上述したように複数の振動素子３２によって構成される。
【００３２】
受信部１４は、大別して、プリアンプ群３４、ＢＰＦ群３８、可変ゲインアンプ群４４、Ａ／Ｄ変換器群４８、ディレーライン（ＤＬ）群５２及び加算器５６などを有している。ここで、ディレイライン群５２及び加算器５６によっていわゆる整相加算部５１が構成されている。
【００３３】
図２に示されるように、プリアンプ群３４は各チャンネルごとに設けられたプリアンプ３６によって構成され、これと同様に、ＢＰＦ群３８は各チャンネルごとに設けられたＢＰＦ４０によって構成され、可変ゲインアンプ４４は各チャンネルごとに設けられた可変ゲインアンプ４６によって構成され、Ａ／Ｄ変換器群４８は、各チャンネルごとに設けられたＡ／Ｄ変換器５０によって構成され、ＤＬ群５２は各チャンネルごとに設けられたＤＬ５４によって構成される。
【００３４】
ここで、１つのチャンネルについて着目すると、振動素子３２から出力される受信信号はプリアンプ３６によって増幅された後、その受信信号がＢＰＦ４０に入力される。そして、そのＢＰＦ４０において受信信号に対するフィルタリングが実行された後、その出力信号としての受信信号がゲイン可変アンプ４６に入力される。ゲイン可変アンプ４６は、受信信号に対して所望の増幅を行う回路であり、その増幅後の受信信号がＡ／Ｄ変換器５０においてデジタル信号に変換される。デジタル信号に変換された受信信号はＤＬ５４において遅延処理され、その遅延後の受信信号が加算器５６に出力される。すなわち、加算器５６においては、所定の遅延処理が施された複数の受信信号が加算され、これによって整相加算後の受信信号が後段に出力される。
【００３５】
本実施形態においては、ＢＰＦ群３８を構成する複数のＢＰＦ４０に対して複数のグループ４２が設定されている。例えばチャンネルが０番からＮ番まである場合には、その０番側からｎ個ずつのＢＰＦが各グループ４２を構成し、これによってｋ個のグループが構成される。そして、各ＢＰＦ４０のグループ４２ごとに、本実施形態においてはバイアス発生器６０が設けられている。すなわち各バイアス発生器６０は、対応するグループに対して後述するバイアス信号としてのコントロール電圧を供給している。各バイアス発生器６０がそれぞれ個別的にグループを単位としてバイアス電圧のコントロールを行うことにより、各グループごとに受信信号に対する通過帯域特性の可変あるいは調整を行うことができる。このような構成によって、チャンネル全体として通過帯域特性（特に中心周波数）のばらつきを一定範囲内におさえて超音波画像の画質を高めることができる。特に、ハーモニックイメージングモードにおいては、目的とする高調波成分をより効率的に抽出し、Ｓ／Ｎ比を向上して良好な超音波画像を形成できるという利点がある。
【００３６】
なお、図２において、複数のバイアス発生器６０によってバイアス発生部５８が構成される。受信制御部６２は、各可変ゲインアンプ４６についてのゲインを調整すると共に、各ＤＬ５４における遅延量の制御も行っている。また、本実施形態においては、受信制御部６２が、装置の動作モードに応じて各ＢＰＦ４０における通過帯域特性の切換えやＢＰＦ４０を実質的にフィルタリングさせるかどうかなどの制御も行っている。
【００３７】
図２に示した実施形態においては、グループ４２を単位として各ＢＰＦ４０の通過帯域特性についての調整がなされていたが、もちろん各ＢＰＦ４０ごとにバイアス発生器６０を設け、個別的に通過帯域特性の調整をきめ細かく行うようにしてもよい。
【００３８】
図３には、図１に示したＢＰＦ４０の具体的な回路構成の一例が示されている。このＢＰＦ４０は、回路モジュール７２を有し、ハーモニックイメージングモードにおいては、その回路モジュール７２を通過したフィルタリング後の受信信号がセレクタ７４によって選択されて出力され、一方、基本波イメージングモードにおいては、回路モジュール７２を迂回したフィルタリングされていない受信信号がセレクタ７４によって選択されて出力される。すなわち、回路モジュール７２を迂回して受信信号１００を後段へ出力するバイパスライン７７が設けられている。セレクタ７４は例えばアナログスイッチなどによって構成される。
【００３９】
上記回路モジュール７２について以下に説明する。この回路モジュール７２は、図示のように、入力トランジスタＱ１、フィルタ回路７６、出力トランジスタＱ２などを有する。ここで、フィルタ回路７６は、共振回路を構成するものであり、インダクタ素子（コイル）Ｌ、可変容量回路７０を有する。可変容量回路７０における容量を可変することによって、本ＢＰＦ４０の通過帯域特性が調整される。抵抗Ｒ５は主として通過帯域特性の先鋭さ（Ｑ値）を調整するためのものであり、コンデンサＣ２は主としてＤＣカットのために設けられている。それらの抵抗Ｒ５及びコンデンサＣ２を介して受信信号が可変容量回路７０に入力されている。
【００４０】
可変容量回路７０は、バリキャップダイオード回路を構成し、具体的には、互いに逆向きで並列接続された一対のダイオード（バリキャップダイオード）Ｄ１，Ｄ２によって構成される。ダイオードＤ１のアノード側には逆バイアス電圧としてコントロール電圧（正電圧）１０４が印加され、ダイオードＤ２のカソード側には逆バイアス電圧としてコントロール電圧（負電圧）１０６が印加されている。よって、コントロール電圧によって各ダイオードＤ１，Ｄ２のアノード−カソード間の電圧を所望の値に可変できる。
【００４１】
ここで、各コントロール電圧１０４，１０６は、本ＢＰＦ４０が属するグループに対応したバイアス発生器６０（図２）によって発生される。上記のように、各コントロール電圧１０４，１０６を調整することによって、可変容量回路７０の容量が変化し、これによって通過帯域特性（主に中心周波数）を調整できる。ダイオードＤ１，Ｄ２は、製造段階において隣接して製造されたものを用いれば特性を揃えて相補的な補償作用を得ることができる。特に、同じグループ内の各ＢＰＦ４０について、各ダイオードの特性をできるだけ揃えるように配慮するのが望ましい。もちろん、各ＢＰＦ４０ごとにバイアス発生器を設ける場合にはそのような配慮は不要である。コントロール電圧１０４，１０６は同時に又は個別的に可変制御される。
【００４２】
入力トランジスタＱ１のエミッタ側に設けられたトランジスタＱ３は定電流回路の一部を構成し、そのベースにはバイアス電流１０２が入力される。このバイアス電流１０２の値は各ＢＰＦ４０間で同じであり、かつ固定である。ただし、定電流調整のためにバイアス電流１０２の値を調整することもできる。なお、トランジスタＱ３に代えて抵抗を利用して定電流源を構成することもできる。
【００４３】
入力トランジスタＱ１のベースに受信信号１００が入力されると、そのコレクタに電圧として受信信号が現れ、その受信信号がフィルタ回路７６を通過する。その過程において、共振回路を構成するフィルタ回路の通過帯域特性に従って、受信信号中の所望の周波数帯域の信号成分が抽出される。本実施形態では、ハーモニック成分が抽出され、その成分からなる受信信号が出力トランジスタＱ３のベースに入力される。そして、出力トランジスタＱ３のエミッタ側に受信信号が現れ、それがＤＣカット用のコンデンサＣ３を介してセレクタ６４に入力される。なお、抵抗Ｒ１、Ｒ３、Ｒ４、Ｒ６、Ｒ７、Ｒ８及びコンデンサＣ１、Ｃ４、Ｃ５、Ｃ６、Ｃ７、Ｃ８はそれぞれ回路の動作条件を規定するためのものである。
【００４４】
図３の構成はあくまでも一例であって、可変容量による通過帯域特性の調整が行える限りにおいて各種の回路構成を利用できる。なお、基本波で画像を形成する場合に、上記の回路モジュール７２に対する受信信号１００の迂回切り替えに代えて、通過帯域特性の中心周波数を基本波の周波数に合わせるようにしてもよい。このような構成によれば、不要信号成分を除去し、Ｓ／Ｎ比を向上できる利点がある。また、通過帯域特性を受信点の深さに応じてダイナミックに可変するようにしてもよい。更に、上記可変容量回路を構成する場合に１つのダイオードのみを用いるようにしてもよいし、更に多数のダイオードを用いるようにしてもよい。
【００４５】
【発明の効果】
以上説明したように、本発明によれば、超音波画像の画質を高めることができる。
【図面の簡単な説明】
【図１】  本発明に係る超音波診断装置の好適な実施形態を示すブロック図である。
【図２】  図１に示す受信部の具体的な構成例を示すブロック図である。
【図３】  図２に示すＢＰＦの具体的な回路構成例を示す回路図である。
【符号の説明】
１０  プローブ、１２  送信部、１４  受信部、１６  コントローラ、２０  信号処理部、２２  表示処理部、２４  表示部、４０  ＢＰＦ、４２  ＢＰＦグループ、６０  バイアス発生器、６２  受信制御部、７０  可変容量回路、７２回路モジュール、７４  セレクタ。
【図１】
0003822820.tif 000002
【図２】
0003822820.tif 000003
【図３】
0003822820.tif 000004